(57)【要約】【課題】特定の送信モードに対応可能な宛先のみを簡単に間違いなく指定することのできる画像送信装置を提供する。【解決手段】送信モード（カラー・モノクロ）の選択を受けるモード選択手段１１ｂと、宛先の選択を受ける宛先選択手段１１ｃとを備え、宛先選択手段１１ｃはカラーモードが選択された状態ではカラー対応可能な宛先のみをユーザ選択可能な宛先選択画面に表示する。一方、モード選択手段１１ｂはモノクロ専用の宛先が選択された状態においてはカラーモードの選択操作を禁止する。【選択図】図１
2007208449.tif 000002
【特許請求の範囲】
【請求項１】
指定された宛先に画像データを送信する画像送信装置において、
送信モードの選択を受けるモード選択手段と、     
宛先の選択を受ける宛先選択手段と
を備え、
前記宛先選択手段は、前記モード選択手段で選択された送信モードに応じた宛先を選択可能にする
ことを特徴とする画像送信装置。
【請求項２】
前記宛先選択手段は、前記モード選択手段で選択された送信モードに対応する受信能力を備えた宛先のみをユーザ選択可能にする
ことを特徴とする請求項１に記載の画像送信装置。
【請求項３】
前記送信モードとして、カラーモードとモノクロモードとを選択可能に有する
ことを特徴とする請求項１または２に記載の画像送信装置。
【請求項４】
前記宛先選択手段は、カラーモードが選択された状態では、カラーモードに対応可能な宛先のみをユーザ選択可能にする
ことを特徴とする請求項３に記載の画像送信装置。
【請求項５】
前記宛先選択手段は、カラーモードが選択された状態では、ネットワークＦＡＸに対応した宛先のみをユーザ選択可能にする
ことを特徴とする請求項３に記載の画像送信装置。
【請求項６】
前記宛先選択手段は、モノクロモードが選択された状態では、モノクロモード専用の宛先のみをユーザ選択可能にする
ことを特徴とする請求項３に記載の画像送信装置。
【請求項７】
前記宛先選択手段は、モノクロモードが選択された状態では、モノクロモードに対応した宛先とカラーモードに対応した宛先の双方をユーザ選択可能にする
ことを特徴とする請求項３に記載の画像送信装置。
【請求項８】
前記宛先選択手段は、モノクロモードが選択された状態では、すべての宛先をユーザ選択可能にする
ことを特徴とする請求項３に記載の画像送信装置。
【請求項９】
指定された宛先に画像データを送信する画像送信装置において、
送信モードの選択を受けるモード選択手段と、
宛先の選択を受ける宛先選択手段と
を備え、
前記モード選択手段は、前記宛先選択手段で選択された宛先に応じた送信モードを選択可能にする
ことを特徴とする画像送信装置。
【請求項１０】
前記モード選択手段は、前記宛先選択手段で選択されたすべての宛先で対応可能な送信モードのみをユーザ選択可能にする
ことを特徴とする請求項９に記載の画像送信装置。
【請求項１１】
前記送信モードとして、カラーモードとモノクロモードとを選択可能に有する
ことを特徴とする請求項９または１０に記載の画像送信装置。
【請求項１２】
前記モード選択手段は、前記宛先選択手段で選択された宛先の中にカラーモードに対応できない宛先が含まれている場合は、送信モードとしてカラーモードを選択不可とする
ことを特徴とする請求項１１に記載の画像送信装置。
【請求項１３】
前記モード選択手段は、前記宛先選択手段で選択された宛先の中にネットワークＦＡＸに対応していない宛先が含まれている場合は、送信モードとしてカラーモードを選択不可とする
ことを特徴とする請求項１１に記載の画像送信装置。
【請求項１４】
前記モード選択手段は、前記宛先選択手段での宛先の選択状況が変化したとき、変化後の選択状況に応じてユーザ選択可能な送信モードを変更する
ことを特徴とする請求項９乃至１３のいずれか１つに記載の画像送信装置。
【請求項１５】
前記モード選択手段は、送信モードを選択する操作を受けたとき、該選択を許可するか否かを、前記操作を受けた時点で選択されている宛先に応じて判断する
ことを特徴とする請求項９乃至１３のいずれか１つに記載の画像送信装置。
【請求項１６】
前記モード選択手段は、前記選択を許可しない場合に、該選択が許可されないことをユーザに警告する
ことを特徴とする請求項１５に記載の画像送信装置。
【請求項１７】
前記モード選択手段は、前記選択を許可しない場合に、該選択が許可されない原因およびまたは該原因となった宛先をユーザに通知する
ことを特徴とする請求項１５に記載の画像送信装置。
【請求項１８】
前記宛先選択手段は、ユーザ選択できない宛先を、宛先の選択画面において非表示にする
ことを特徴とする請求項１乃至１７のいずれか１つに記載の画像送信装置。
【請求項１９】
前記モード選択手段は、ユーザ選択できない送信モードを、送信モードの選択画面において非表示にする
ことを特徴とする請求項１乃至１８のいずれか１つに記載の画像送信装置。
【請求項２０】
宛先の登録を受ける登録手段を有し、
前記登録手段は、前記宛先に対応付けて該宛先がカラー機であるかモノクロ機であるかを登録する
ことを特徴とする請求項１乃至１９のいずれか１つに記載の画像送信装置。
【請求項２１】
宛先の登録を受ける登録手段を有し、
前記登録手段は、前記宛先に対するネットワークＦＡＸでの送信のオンもしくはオフを登録する
ことを特徴とする請求項２０に記載の画像送信装置。
【請求項２２】
前記登録手段は、登録中の宛先はカラー機であることが選択された場合は、該宛先に対してネットワークＦＡＸによる送信オンを自動選択する
ことを特徴とする請求項２１に記載の画像送信装置。
【請求項２３】
前記登録手段は、登録中の宛先はモノクロ機であることが選択された場合は、該宛先に対してネットワークＦＡＸによる送信のオンもしくはオフを選択可能にする
ことを特徴とする請求項２１または２２に記載の画像送信装置。
【請求項２４】
前記登録手段は、登録中の宛先についてＧ３ＦＡＸに特有のダイアル情報が入力された場合は、該宛先についてカラー機であることを選択できなくする
ことを特徴とする請求項２０乃至２３のいずれか１つに記載の画像送信装置。
【請求項２５】
前記宛先選択手段は、同報送信時の宛先の選択を受ける
ことを特徴とする請求項１乃至２４のいずれか１つに記載の画像送信装置。
【請求項２６】
前記宛先選択手段は、グループ登録時の宛先の選択を受ける
ことを特徴とする請求項１乃至２４のいずれか１つに記載の画像送信装置。
【発明の詳細な説明】
【技術分野】
【０００１】
本発明は、指定された宛先に画像データを送信するファクシミリ装置などの画像送信装置に関する。
【背景技術】
【０００２】
近年、ファクシミリ装置においては、公衆回線を利用したＧ３方式の通信方法に加えて、インターネットを介して画像データを送受信するＩＰ（Internet Protocol）−ＦＡＸなどのネットワークＦＡＸが普及しつつある。ネットワークＦＡＸでは、高速・安価に大量の画像データを伝送できることからカラー画像の送受信を可能にした装置もある。
【０００３】
このようなカラー機の登場により、世の中に、モノクロ機とカラー機とが混在するようになると、一度の操作で複数の宛先に画像を送信する同報送信機能を使用する場合に、同報宛先の中にカラー機とモノクロ機とが混在する可能性が生じる。
【０００４】
そこで、同報宛先の中にカラー機とモノクロ機とが混在している場合は原稿をカラーで読み取り、読み取ったカラー画像を、各宛先の能力に応じてカラー／モノクロ変換するファクシミリ装置が提案されている（たとえば、特許文献１参照。）。
【０００５】
【特許文献１】特開２００３−１３４２８０号公報
【発明の開示】
【発明が解決しようとする課題】
【０００６】
上記のようにカラーで読み取った画像を各宛先の能力に応じてカラー／モノクロ変換するためには、該変換を実行するためのハードウェアを必要とするなどコスト的・技術的な負担が大きい。また、カラーで原稿を読み取るので、すべての同報宛先にカラー画像が送信されるものとユーザが誤解する虞もある。
【０００７】
一方、ユーザ自身で各宛先がカラー機かモノクロ機かを認識して、カラー機とモノクロ機とが混在しないように同報宛先を間違いなく指定することは難しく、また不便である。なお、カラー／モノクロの違いに限らず、同様の問題は、宛先の受信能力に関連する種々の送信モードにおいて発生し得る。
【０００８】
本発明は、上記の問題を解決しようとするものであり、送信側で選択する送信モードに対応可能な宛先のみを簡単に間違いなく指定することのできる画像送信装置を提供することを目的としている。また、送信側で選択する宛先が対応可能な送信モードのみを簡単に間違いなく指定することのできる画像送信装置を提供することを目的としている。
【課題を解決するための手段】
【０００９】
以上の目的は以下のいずれかの構成によって達成される。
【００１０】
（１）指定された宛先に画像データを送信する画像送信装置において、
送信モードの選択を受けるモード選択手段と、
宛先の選択を受ける宛先選択手段と
を備え、
前記宛先選択手段は、前記モード選択手段で選択された送信モードに応じた宛先を選択可能にする
ことを特徴とする画像送信装置。
【００１１】
上記発明では、現在選択されている送信モードに応じた宛先の選択が可能になる。ユーザ選択可能な宛先の変更に関連する送信モードは、相手機の受信能力に関連するものであればよく、たとえば、カラーモード／モノクロモードのほか、大きなサイズの原稿を原寸のまま送信するなどのプリントサイズに関する送信モード、超高解像度を指定するなど解像度に関する送信モードなどでもよい。
【００１２】
（２）前記宛先選択手段は、前記モード選択手段で選択された送信モードに対応する受信能力を備えた宛先のみをユーザ選択可能にする
ことを特徴とする（１）に記載の画像送信装置。
【００１３】
上記発明では、選択された送信モードに対応した受信能力を有する宛先のみがユーザ選択可能になる。たとえば、カラーモードが選択されている状態では、カラーモードに対応した宛先（受信機がカラー機の宛先）のみが選択可能になる。
【００１４】
（３）前記送信モードとして、カラーモードとモノクロモードとを選択可能に有する
ことを特徴とする（１）または（２）に記載の画像送信装置。
【００１５】
（４）前記宛先選択手段は、カラーモードが選択された状態では、カラーモードに対応可能な宛先のみをユーザ選択可能にする
ことを特徴とする（３）に記載の画像送信装置。
【００１６】
上記発明では、カラーモードの選択中にはモノクロ専用の宛先が選択できなくなるので、カラー機のみの選択を簡単かつ確実に行なうことができる。
【００１７】
（５）前記宛先選択手段は、カラーモードが選択された状態では、ネットワークＦＡＸに対応した宛先のみをユーザ選択可能にする
ことを特徴とする（３）に記載の画像送信装置。
【００１８】
上記発明では、当該画像送信装置は、カラー送信に対応可能なネットワークＦＡＸの機能と、カラー送信に対応しないＧ３方式などの通信機能とを具備し、カラーモードが選択された状態では、ネットワークＦＡＸに対応した宛先のみが選択可能になる。
【００１９】
（６）前記宛先選択手段は、モノクロモードが選択された状態では、モノクロモード専用の宛先のみをユーザ選択可能にする
ことを特徴とする（３）に記載の画像送信装置。
【００２０】
上記発明では、モノクロモードでは、モノクロモードに対応しカラーモードに対応しない宛先のみがユーザ選択可能になる。
【００２１】
（７）前記宛先選択手段は、モノクロモードが選択された状態では、モノクロモードに対応した宛先とカラーモードに対応した宛先の双方をユーザ選択可能にする
ことを特徴とする（３）に記載の画像送信装置。
【００２２】
上記発明では、カラーモードに対応した装置の多くはモノクロモードでの受信も可能なので、モノクロモードが選択された状態では、カラーモードに対応した宛先とモノクロ専用の宛先との双方をユーザ選択可能にしている。
【００２３】
（８）前記宛先選択手段は、モノクロモードが選択された状態では、すべての宛先をユーザ選択可能にする
ことを特徴とする（３）に記載の画像送信装置。
【００２４】
上記発明では、モノクロモードが選択された状態では、カラー、モノクロ、Ｇ３、ネットワークＦＡＸなどの違いに係わらず、すべての宛先が選択可能になる。モノクロモードの受信は、すべてのファクシミリ装置が有する共通機能であることによる。
【００２５】
（９）指定された宛先に画像データを送信する画像送信装置において、
送信モードの選択を受けるモード選択手段と、
宛先の選択を受ける宛先選択手段と
を備え、
前記モード選択手段は、前記宛先選択手段で選択された宛先に応じた送信モードを選択可能にする
ことを特徴とする画像送信装置。
【００２６】
上記発明では、選択済みの宛先に応じた送信モードの選択が可能になる。たとえば、選択済みの宛先の中にカラーモードに対応しない宛先が含まれる場合は、送信モードとしてカラーモードは選択できなくなる。選択済み宛先に応じてユーザ選択の可否が変更される送信モードは、相手機の受信能力に関連したものであればよく、たとえば、カラーモード／モノクロモードのほか、大きなサイズの原稿を原寸のまま送信するプリントサイズに関する送信モード、超高解像度を指定するなど解像度に関する送信モードなどでもよい。
【００２７】
（１０）前記モード選択手段は、前記宛先選択手段で選択されたすべての宛先で対応可能な送信モードのみをユーザ選択可能にする
ことを特徴とする（９）に記載の画像送信装置。
【００２８】
上記発明では、複数の宛先が選択された状態においては、そのすべての宛先で対応可能な送信モードのみがユーザ選択可能になり、選択された宛先の中の１つでも対応していない送信モードへの変更は禁止される。
【００２９】
（１１）前記送信モードとして、カラーモードとモノクロモードとを選択可能に有する
ことを特徴とする（９）または（１０）に記載の画像送信装置。
【００３０】
（１２）前記モード選択手段は、前記宛先選択手段で選択された宛先の中にカラーモードに対応できない宛先が含まれている場合は、送信モードとしてカラーモードを選択不可とする
ことを特徴とする（１１）に記載の画像送信装置。  
【００３１】
（１３）前記モード選択手段は、前記宛先選択手段で選択された宛先の中にネットワークＦＡＸに対応していない宛先が含まれている場合は、送信モードとしてカラーモードを選択不可とする
ことを特徴とする（１１）に記載の画像送信装置。
【００３２】
上記発明では、当該画像送信装置は、カラー送信に対応可能なネットワークＦＡＸの機能と、カラー送信に対応しないＧ３方式などの通信機能とを具備し、選択済みの宛先の中にネットワークＦＡＸに対応していない宛先が含まれている場合は、カラーモードの選択が不可になる。
【００３３】
（１４）前記モード選択手段は、前記宛先選択手段での宛先の選択状況が変化したとき、変化後の選択状況に応じてユーザ選択可能な送信モードを変更する
ことを特徴とする（９）乃至（１３）のいずれか１つに記載の画像送信装置。
【００３４】
上記発明では、宛先が選択される毎に、ユーザ選択可能な送信モードが必要に応じて変更される。たとえば、宛先Ａ（カラー）、宛先Ｂ（カラー）と選択した後に宛先Ｃ（モノクロ）を選択すると、宛先Ｃを選択した時点でカラーモードへの変更が、該当の操作釦がグレーアウトするなどにより禁止される。
【００３５】
（１５）前記モード選択手段は、送信モードを選択する操作を受けたとき、該選択を許可するか否かを、前記操作を受けた時点で選択されている宛先に応じて判断する
ことを特徴とする（９）乃至（１３）のいずれか１つに記載の画像送信装置。
【００３６】
上記発明では、選択済みの宛先に対する送信モードの選択操作の適否が、該選択操作を受けた時点で一括判断される。たとえば、宛先Ａ（カラー）、宛先Ｂ（モノクロ）、宛先Ｃ（カラー）を選択した後、カラーモードの選択釦を操作すると、該時点で各宛先Ａ、Ｂ、Ｃがカラーモードに対応可能か否かを一括判断し、宛先Ｂがカラーに対応できないことから、カラーモードへの選択を拒否する。
【００３７】
（１６）前記モード選択手段は、前記選択を許可しない場合に、該選択が許可されないことをユーザに警告する
ことを特徴とする（１５）に記載の画像送信装置。
【００３８】
上記発明では、送信モードの変更操作を拒否したことが、警告メッセージを表示するなどによりユーザに通知される。
【００３９】
（１７）前記モード選択手段は、前記選択を許可しない場合に、該選択が許可されない原因およびまたは該原因となった宛先をユーザに通知する
ことを特徴とする（１５）に記載の画像送信装置。
【００４０】
上記発明では、送信モードの変更操作を拒否したとき、その拒否原因となった宛先や拒否原因の詳細が通知される。たとえば、宛先Ａ（カラー）、宛先Ｂ（モノクロ）、宛先Ｃ（カラー）を選択した後、カラーモードへの変更釦を操作すると、宛先Ｂがカラー機でないためにカラーモードへの変更操作が拒否された旨の通知が行なわれる。
【００４１】
（１８）前記宛先選択手段は、ユーザ選択できない宛先を、宛先の選択画面において非表示にする
ことを特徴とする（１）乃至（１７）のいずれか１つに記載の画像送信装置。
【００４２】
上記発明では、ユーザ選択できない宛先は、宛先の選択画面で非表示になる。たとえば、モノクロモードを選択した状態で宛先リストを表示中にカラーモードに切り替えると、カラーモードに対応していない宛先が表示中の宛先リストから消える。あるいは、カラーモードを選択した状態で新たに宛先リストを表示させると、カラーモードに対応可能な宛先のみの宛先リストが表示される。
【００４３】
（１９）前記モード選択手段は、ユーザ選択できない送信モードを、送信モードの選択画面において非表示にする
ことを特徴とする（１）乃至（１８）のいずれか１つに記載の画像送信装置。
【００４４】
上記発明では、ユーザ選択可能な送信モードが、選択済みの宛先に応じて制限されている場合は、該制限により選択できない送信モードの選択釦は送信モードの選択画面に表示されなくなる。
【００４５】
（２０）宛先の登録を受ける登録手段を有し、
前記登録手段は、前記宛先に対応付けて該宛先がカラー機であるかモノクロ機であるかを登録する
ことを特徴とする（１）乃至（１９）のいずれか１つに記載の画像送信装置。
【００４６】
上記発明では、短縮番号などに宛先情報を登録するとき、その宛先がカラー機か否か、すなわち、カラーモードに対応可能か否かを登録する。該登録した情報は、ユーザ選択可能な宛先の判断や送信モードの変更に関する判断・制御に使用される。
【００４７】
（２１）宛先の登録を受ける登録手段を有し、
前記登録手段は、前記宛先に対するネットワークＦＡＸでの送信のオンもしくはオフを登録する
ことを特徴とする（２０）に記載の画像送信装置。
【００４８】
上記発明では、短縮番号などに宛先を登録するとき、その宛先に対するネットワークＦＡＸでの送信のオン、もしくはオフが登録される。該登録した情報は、ユーザ選択可能な宛先の判断や送信モードの変更に関する判断・制御に使用される。
【００４９】
（２２）前記登録手段は、登録中の宛先はカラー機であることが選択された場合は、該宛先に対してネットワークＦＡＸによる送信オンを自動選択する
ことを特徴とする（２１）に記載の画像送信装置。
【００５０】
上記発明では、Ｇ３ＦＡＸはカラー対応していない機種が大勢を占めるので、カラーモードが選択された場合は、ネットワークＦＡＸによる送信オンが自動選択される。
【００５１】
（２３）前記登録手段は、登録中の宛先はモノクロ機であることが選択された場合は、該宛先に対してネットワークＦＡＸによる送信のオンもしくはオフを選択可能にする
ことを特徴とする（２１）または（２２）に記載の画像送信装置。
【００５２】
上記発明では、宛先がモノクロ機の場合は、ネットワークＦＡＸによる送信に限らず、Ｇ３ＦＡＸなど他の通信方式での送信も可能なので、ネットワークＦＡＸによる送信のオン・オフをユーザ選択可能にしている。
【００５３】
（２４）前記登録手段は、登録中の宛先についてＧ３ＦＡＸに特有のダイアル情報が入力された場合は、該宛先についてカラー機であることを選択できなくする
ことを特徴とする（２０）乃至（２３）のいずれか１つに記載の画像送信装置。
【００５４】
上記発明では、Ｇ３ＦＡＸとして送信する宛先についてカラー機であることの登録が禁止される。
【００５５】
（２５）前記宛先選択手段は、同報送信時の宛先の選択を受ける
ことを特徴とする（１）乃至（２４）のいずれか１つに記載の画像送信装置。
【００５６】
上記発明では、ユーザの希望する特定の送信モードに対応可能な宛先のみを簡単にかつ間違いなく同報送信の宛先として指定することができる。
【００５７】
（２６）前記宛先選択手段は、グループ登録時の宛先の選択を受ける
ことを特徴とする（１）乃至（２４）のいずれか１つに記載の画像送信装置。
【００５８】
上記発明では、グループは、複数の宛先をまとめて登録するものであり、グループを宛先に選択することで、該グループに含まれる複数の宛先に同報送信が行なわれる。したがって、特定の送信モードに対応可能な宛先のみを簡単にかつ間違いなく選択してグループに登録することができる。
【発明の効果】
【００５９】
本発明に係わる画像送信装置によれば、送信側で選択する送信モードに対応可能な宛先のみを簡単にかつ間違いなく指定することができる。たとえば、同報送信の宛先としてカラーモードに対応可能な宛先のみを間違いなく簡単に指定できるので、予めカラーで読み取った原稿をモノクロ機の宛先に対してはカラー／モノクロ変換して送信するなどの処理が不要になり、装置コストの低減に有利になる。また、送信側で選択する宛先が対応可能な送信モードのみを簡単に間違いなく指定することができる。
【発明を実施するための最良の形態】
【００６０】
以下、図面に基づき本発明の実施の形態を説明する。
【００６１】
図１は、本発明の実施の形態に係わる画像送信装置としての複合機１０の概略構成を示している。複合機１０は、原稿画像を読み取ってその複製を記録紙上に作成するコピー機能のほか、外部端末から受信した印刷データに基づいて印刷するプリンタ機能や、原稿画像を読み取って対応する画像データを保存したり外部へ出力したりするスキャナ機能、通信回線を通じて画像データを送受信するファクシミリ機能などを備えた複合機であり、画像のカラー読み取り、カラープリント、カラーによる送受信の可能なカラー機として構成されている。
【００６２】
複合機１０は、ＣＰＵ（Central Processing Unit）１１と、ＲＯＭ（Read Only Memory）１２と、ＲＡＭ（Random Access Memory）１３と、不揮発メモリ１４と、読取部１５と、記録部１６と、ネットワーク通信部１７と、表示部１８と、操作部１９と、画像処理部２１と、通信制御部２２と、モデム２３とをバス２５に接続して構成される。モデム２３にはＮＣＵ（Network Control Unit）が接続されている。
【００６３】
ＣＰＵ１１は、当該複合機１０の動作を統括制御する機能を果たす。ＲＯＭ１２は、各種プログラムが予め記憶された読み出し専用のメモリである。ＲＡＭ１３は、ＣＰＵ１１がＲＯＭ１２に格納されたプログラムを実行する際に各種のデータを一時格納するワークメモリや画像データを記憶する画像メモリとして使用される。不揮発メモリ１４は、システム設定やユーザの登録した宛先情報などを不揮発に記憶するメモリである。
【００６４】
読取部１５は、原稿画像を光学的にカラーで読み取って対応する画像データを出力する機能を果たす。読取部１５は、カラーのラインイメージセンサなどで構成される。
【００６５】
記録部１６は、画像データに応じたカラー画像を記録紙上に形成する機能を果たす。ここでは、記録紙の搬送装置と、感光体ドラムと、帯電装置と、レーザーユニットと、現像装置と、転写分離装置と、クリーニング装置と、定着装置とを有する、電子写真プロセスを用いたカラーレーザープリンタとして構成されている。
【００６６】
表示部１８は、液晶ディスプレイなどで構成され、設定画面、操作画面などユーザインターフェース用の各種画面が表示される。操作部１９は、液晶ディスプレイの画面上に敷設されたタッチパネルや操作スイッチなどで構成され、各種のユーザ操作を受ける機能を果たす。
【００６７】
ＣＰＵ１１は、ＲＯＭ１２に記憶されたプログラムにより、宛先の登録を受け付けてその登録内容を不揮発メモリ１４に記憶させる宛先管理手段１１ａと、送信モードの選択を受けるモード選択手段１１ｂと、宛先の選択操作を受ける宛先選択手段１１ｃとしての機能を果たす。これらの設定や選択は表示部１８および操作部１９を通じて受け付けるほか、ネットワーク通信部１７を通じてパーソナルコンピュータなどの外部端末から受けてもよい。送信モードには、画像をカラーで送信するカラーモードと、画像をモノクロで送信するモノクロモードとがある。
【００６８】
画像処理部２１は、画像データに拡大、縮小、回転、圧縮・伸張などの各種の処理を施す機能を果たす。
【００６９】
ネットワーク通信部１７は、ＬＡＮ（Local Area Network）などのネットワークを介して外部装置とデータを送受信する機能を果たす。ＮＣＵ２４は公衆回線ＰＳＴＮ（Public
Switched Telephone Network）と接続するための制御回路である。モデム２３は、デジタルデータをアナログの公衆回線を介して送受信するための変調／復調器である。
【００７０】
通信制御部２２は、ネットワーク通信部１７やモデム２３、ＮＣＵ２４を使用して外部装置とファクシミリ通信を行なうための制御機能を果たす。本実施の形態では、インターネットファクス(ダイレクトSMTP)、ＳＩＰ（Session Initiation Protocol）−ＦＡＸ、Ｇ３ＦＡＸの３種類の通信方式に対応している。
【００７１】
インターネットファクス(ダイレクトSMTP)はＩＴＵ−Ｔ（International Telecommunication Union-Telecommunication sector）の勧告Ｔ.３７に準拠したプロトコルを使用してファクシミリ通信を行なう。Ｔ.３７では、電子メールの添付ファイルとして画像データが送受信される。画像ファイルの添付された電子メールはメールサーバを介して送受信される。また、メールサーバを介さずに、直接相手機と接続して送受信する方式もある。
【００７２】
Ｇ３ＦＡＸは、ＩＴＵ−Ｔの勧告Ｔ.３０に準拠したファクシミリの通信方式である。通信には公衆回線が使用される。
【００７３】
ＳＩＰ−ＦＡＸは、インターネットを介して送受信機間で直接、ピア・ツゥ・ピアで画像データを送受信するファクシミリの通信方式である。ＳＩＰ−ＦＡＸにおいては、ファクシミリ装置を特定する識別情報（例えば、公衆回線におけるＦＡＸの電話番号）とＩＰアドレスとを関連付けて登録したＳＩＰサーバと呼ばれるサーバをネットワーク上に設置しておく。送信機がＳＩＰサーバに対して宛先のＦＡＸ番号で接続要求すると、ＳＩＰサーバは送信機から受け取ったＦＡＸ番号から宛先のＩＰアドレスを検索し、送信機と宛先の受信機とを接続する。ＳＩＰサーバは呼制御を行なうものであり、接続後の画像データの転送方式は別途定められる。たとえば、ＩＴＵ−Ｔの勧告Ｔ.３８に準拠したプロトコルが使用される。
【００７４】
カラー画像の送受信はインターネットファクス(ダイレクトSMTP)またはＳＩＰ−ＦＡＸにおいて可能であり、Ｇ３ＦＡＸではカラー画像の送受信はできない。モノクロ画像の送受信はインターネットファクス(ダイレクトSMTP)、ＳＩＰ−ＦＡＸ、Ｇ３ＦＡＸのいずれでも可能である。
【００７５】
まず、複合機１０における宛先登録について説明する。宛先登録には、短縮宛先登録と、グループ宛先登録と、プログラム宛先登録の３種類がある。短縮宛先登録では、短縮番号（登録Ｎｏ.）毎に１つの宛先を登録する。グループ宛先登録では、複数の短縮宛先をグループ化して登録する。登録された短縮宛先は同報送信に利用される。プログラム宛先登録は、宛先のほかに任意の送信条件などを登録することができる。また宛先として複数の短縮宛先を登録することもできる。
【００７６】
図２は、表示部１８に表示される短縮宛先登録画面４０の一例を示している。短縮宛先登録画面４０の登録番号欄４１には、登録中の短縮番号が表示される。登録名欄４２には、登録番号欄４１に表示された短縮番号に対応付けて登録される宛先の名称が表示される。宛先欄４３には宛先の公衆回線における電話番号（ＦＡＸ番号）が登録される。登録名欄４２や宛先欄４３の表示内容は操作部１９、または表示部１８に表示されるキーボード画面から入力・変更される。
【００７７】
カラー機釦４４は相手先機種（宛先の受信機）がカラー機であることを登録するための操作釦であり、モノクロ機釦４５は相手先機種がモノクロ機であることを登録するための操作釦である。カラー機釦４４とモノクロ機釦４５とは択一的に選択され、選択された釦と非選択の釦とは、文字色や背景色を変えたりすることで識別可能に表示される。図２の例では、選択された釦に斜線を施してある。
【００７８】
このように、宛先の登録に際して、宛先に対応付けて、対応可能な受信能力情報（本実施の形態においては、カラー機、もしくはモノクロ機を示す情報）を登録することができる。
【００７９】
ＳＩＰファックス送信のＯＮ釦４６はＳＩＰ−ＦＡＸによる送信のオンを設定する操作釦であり、ＳＩＰファックス送信のＯＦＦ釦４７はＳＩＰ−ＦＡＸによる送信のオフを設定するための操作釦である。ＳＩＰファックス送信のＯＮ釦４６とＯＦＦ釦４７とは択一的に選択され、選択された釦と非選択の釦とは、文字色や背景色を変えたりすることで識別可能に表示される。ＯＫ釦４８を操作すると、短縮宛先登録画面４０に表示中の内容が登録番号欄４１に表示された短縮番号に対応付けて不揮発メモリ１４に登録される。
【００８０】
このように、宛先の登録に際して、宛先に対応付けて、送信モード情報（本実施の形態においては、ＳＩＰファックス送信オン、もしくはＳＩＰファックス送信オフを示す情報）を登録することができる。
【００８１】
図３は、短縮宛先の登録処理の流れを示している。登録名欄４２に宛先の名称を入力し（ステップＳ１０１）、登録名欄４２にＦＡＸ番号などを入力する（ステップＳ１０２）。さらにカラー機釦４４が選択されている場合は（ステップＳ１０３；Ｙ）、宛先をカラー機として入力し（ステップＳ１０４）、モノクロ機釦４５が選択されている場合は(ステップＳ１０３；Ｎ)、宛先をモノクロ機として入力する(ステップＳ１０５)。このように、受信能力情報として、カラー機として登録された宛先は、カラー画像およびモノクロ画像の受信が可能である。一方、モノクロ機として登録された宛先は、モノクロ画像のみの受信が可能である。
【００８２】
また、ＳＩＰファックス送信のＯＮ釦４６が選択されている場合は（ステップＳ１０６；Ｙ）、該宛先をＳＩＰ−ＦＡＸの宛先として、すなわち、該宛先に対する送信をＳＩＰ−ＦＡＸの通信方式で行なうことを入力して（ステップＳ１０７）、ＯＫ釦４８が押される（ステップ１０９；Ｙ）と、処理を終了する（エンド）。一方、ＳＩＰファックス送信のＯＦＦ釦４７が選択されている場合は（ステップＳ１０６；Ｎ）、該宛先をＧ３ＦＡＸの宛先として、すなわち、該宛先に対する送信をＧ３ＦＡＸの通信方式で行なうことを入力して(ステップＳ１０８)、ＯＫ釦４８が押される（ステップ１０９；Ｙ）と、処理を終了する（エンド）。
【００８３】
短縮宛先の登録においてはカラー機釦４４が選択されると、これに伴って自動的にＳＩＰファックス送信のＯＮ釦４６が選択状態になる。モノクロ機釦４５が選択された状態においては、ＳＩＰファックス送信のＯＮ釦４６とＯＦＦ釦４７のいずれもユーザ選択可能になる。すなわち、カラーモードの送信は必ずＳＩＰ−ＦＡＸで行なわれ、モノクロモードの送信は、ユーザ選択に従ってＳＩＰ−ＦＡＸとＧ３ＦＡＸのいずれかの方式で行なわれる。
【００８４】
また、宛先欄４３において、トーンやポーズなど、Ｇ３ＦＡＸの宛先に特有のダイアル情報が入力された場合は、その後、カラー機釦４４を選択できなくなる。すなわち、宛先欄４３の入力内容から宛先の受信機がＧ３ＦＡＸ機であることが判明した後は、該宛先をカラー機として登録できなくする。これにより、Ｇ３ＦＡＸ機に対して誤ってカラー機登録されることが防止される。
【００８５】
なお、ＯＫ釦４８が操作された場合などに、短縮宛先登録画面４０の入力内容やカラー機釦４４やＳＩＰファックス送信のＯＮ釦４６の選択状況を調べて矛盾があるか否かをチェックし、矛盾がある場合にはユーザに警告するとよい。たとえば、カラー機釦４４が選択された状態で宛先欄４３に、トーンやポーズなど、Ｇ３ＦＡＸの宛先に特有のダイアル情報が入力されていた場合は、登録しようとする内容に矛盾があることをユーザに警告する。
【００８６】
次に、送信宛先の選択について説明する。  
図４（ａ）は、複合機１０の表示部１８に表示される宛先選択画面５０の一例を示している。宛先選択画面５０は同報送信の宛先を選択するための画面である。宛先選択画面５０には、メッセージ表示欄５１と、宛先の選択方法を選択するための複数のタグ５２と、入力番号表示欄５３と、宛先候補表示欄５４と、同報宛先リスト表示欄５５と、送信モードをカラーモードにするかモノクロモードにするかを選択するためのカラー釦５６などが配置されている。
【００８７】
メッセージ表示欄５１には、宛先の選択に関するユーザへのアドバイスや注意・警告などが表示される。プログラムタグ５２ａは、送信宛先をプログラム宛先で選択する場合に押下するタグである。グループタグ５２ｂは送信宛先をグループ宛先で選択する場合に押下するタグである。短縮／アドレスタグ５２ｃは送信宛先を短縮宛先で選択する場合に押下するタグである。ダイレクト入力タグ５２ｄは送信宛先を直接入力する場合に押下するタグである。図４（ａ）は短縮／アドレスタグ５２ｃを選択した場合の宛先選択画面５０ａを示している。
【００８８】
入力番号表示欄５３には、直接入力された電話番号が表示される。グループタグ５２ｂや短縮／アドレスタグ５２ｃを選択した場合においても、入力番号表示欄５３に電話番号を直接入力することで同報宛先を設定することが可能になっている。
【００８９】
宛先候補表示欄５４には、ユーザ選択可能な宛先の候補が一覧表示される。宛先候補表示欄５４の上部には宛先の頭文字を選択するためのインデックスキー５４ａが配列されており、インデックスキー５４ａによって選択された頭文字を有する短縮宛先の全部または一部に対応する宛先選択釦５７が、インデックスキー５４ａの下方に列挙されるようになっている。宛先候補表示欄５４に表示されたいずれかの宛先選択釦５７を押下すると、その宛先選択釦５７に対応する宛先が宛先の１つに選択され、同報宛先リスト表示欄５５に表示される。同報宛先リスト表示欄５５には、同報宛先として選択された宛先が一覧表示される。
【００９０】
次に、同報宛先の選択操作に係わる動作について説明する。
【００９１】
図５は、宛先を選択する前における、宛先候補の表示制御に関する処理の流れを示している。同報宛先を選択するに際してユーザは、短縮／アドレスタグ５２ｃを操作し、さらにいずれかのインデックスキー５４ａを操作するなどして、宛先候補表示欄５４に該当する宛先の宛先選択釦５７を表示させる(ステップＳ２０１)。このとき、カラー釦５６がオフ（送信モードとしてモノクロモード選択）の場合は（ステップＳ２０２；Ｎ）、図４（ａ）に示すように、インデックスキー５４ａにより選択された頭文字を有する全宛先の宛先選択釦５７が宛先候補表示欄５４に表示される(ステップＳ２０４)。すなわち、カラー機に対応する宛先とモノクロ機の宛先の双方が表示される。
【００９２】
一方、カラー釦５６がオン（送信モードとしてカラーモード選択）の場合は（ステップＳ２０２；Ｙ）、インデックスキー５４ａで選択された頭文字を有する短縮宛先の中でモノクロ機として登録された宛先が存在するか否かを調べる(ステップＳ２０３)。該判断は不揮発メモリ１４に記憶されている短縮宛先登録に係わる情報に基づいて行なわれる。モノクロ機の宛先が存在する場合は（ステップＳ２０３；Ｙ）、該モノクロ機の宛先をすべて非表示にする(ステップＳ２０５)。
【００９３】
たとえば、図４（ａ）に示す状態でカラー釦５６をオンにすると、モノクロ機の宛先に対応する宛先選択釦５７ａ、５７ｂが非表示に変化して図４（ｂ）の表示状態（宛先選択画面５０ｂ）になる。これにより、カラーモードを選択した状態ではモノクロ機の宛先を選択できなくなり、ユーザは、カラーモードで送信する場合の宛先として、カラー機の受信能力を持つ宛先だけを容易かつ間違いなく選択することができる。
【００９４】
なお、カラー釦５６がオンにされた場合でもモノクロ機として登録された宛先が存在しない場合は（ステップＳ２０３；Ｎ）、全宛先の宛先選択釦５７が宛先候補表示欄５４に表示される(ステップＳ２０４)。
【００９５】
また、図４（ｂ）に示す状態でカラー釦５６がオフに変更されてモノクロモードが選択された場合は、図４（ａ）に示す表示状態に遷移する。すなわち、カラー釦５６をオン・オフする毎に、図４（ａ）に示す全宛先を表示した状態と図４（ｂ）に示すモノクロ機の宛先を非表示にした状態とに宛先選択画面５０の表示内容が切り替わるようになっている。
【００９６】
次に、いくつかの宛先を同報宛先として選択した後に、カラー釦５６を操作してカラーモード／モノクロモードを選択する場合の動作について説明する。
【００９７】
図６は上記の動作に関する処理の流れを、図７（ａ）はいくつかの宛先を同報宛先として選択した後の宛先選択画面５０ｃの一例を示している。ユーザが宛先候補表示欄５４に表示されたいずれかの宛先選択釦５７を押下することで同報宛先が選択され（ステップＳ２２１）、図７（ａ）に示すように、選択された宛先６１、６２が同報宛先リスト表示欄５５に表示された状態が形成される。
【００９８】
いくつかの同報宛先が選択された状態でカラー釦５６がオン（カラーモード選択）されると(ステップＳ２２２；Ｙ)、既に選択された同報宛先の中にモノクロ専用（モノクロ機）の宛先が存在するか否かを調べ（ステップＳ２２３）、モノクロ専用の宛先がある場合は(ステップＳ２２３；Ｙ)、カラーモードを選択できない旨の警告表示を行なう（ステップＳ２２４）。
【００９９】
たとえば、図７（ａ）に示すように、同報宛先としてカラー機の宛先６１と、モノクロ機の宛先６２とを選択した状態でカラー釦５６をオンにする操作を行なうと、図７（ｂ）に示す宛先選択画面５０ｄのようにメッセージ表示欄５１に所定の警告メッセージ５１ａが表示され、現在選択されている宛先ではカラーモードへ変更できないことがユーザに通知される。
【０１００】
同報宛先の中にモノクロ専用の宛先が存在しない場合（ステップＳ２２３；Ｎ）は、カラーモードの選択操作が許可され、送信モードがカラーモードに設定される（ステップＳ２２５）。なお、カラーモードへ設定された後は、図４（ｂ）の場合と同様に、宛先候補表示欄５４においてモノクロ専用の宛先が非表示になり、以後、モノクロ機を同報宛先に選択できなくなる。
【０１０１】
カラー釦５６がオフにされてモノクロモードが選択された場合は（ステップＳ２２２；Ｎ）、送信モードがモノクロモードに設定される（ステップＳ２２６）。
【０１０２】
少なくとも１つの同報宛先を選択後、メッセージ表示欄５１に警告の出ていない状態で図示省略のスタート釦が操作されると（ステップＳ２２７；Ｙ）、選択された同報宛先に対してファクシミリ送信（同報送信）を実行して（ステップＳ２２８）一連の送信処理を終了する（エンド）。
【０１０３】
なお、警告表示を行なう場合には、図８の宛先選択画面５０ｅに示すように、警告表示の原因となった宛先や原因の内容をユーザに通知するとよい。図８の例では、同報宛先リスト表示欄５５に表示された「２．Ｂ０２」の宛先６２がモノクロ機であるためにカラーモードへ変更ができない旨がメッセージ表示欄５１に表示されている。ユーザは、該表示を参考に、警告の原因となった宛先を同報宛先から削除することができる。
【０１０４】
図６、図７に示す例では、送信モードの選択が適切か否かをカラー釦５６が操作された時点で、それまでに選択された全宛先に対して一括で判断しているが、同報宛先が選択される毎に、送信モードの選択が適切か否かを逐次判断してもよい。
【０１０５】
図９は、宛先の選択に伴って送信モードの変更可否を逐次判断する表示制御処理の流れを示している。宛先候補表示欄５４に表示されたいずれかの宛先選択釦５７が選択されると（ステップＳ２４１；Ｙ）、その宛先選択釦５７に対応する宛先がモノクロ専用か否かを判断する（ステップＳ２４２）。選択された宛先がモノクロ専用の場合は(ステップＳ２４２；Ｙ)、カラー釦５６をグレーアウトまたは非表示にしてカラーモードへの選択操作を不可にし(ステップＳ２４３)、該状態で宛先の選択操作をスタートキーが操作されるまで継続して受け付ける（ステップＳ２４４；Ｎ）。
【０１０６】
選択された宛先がモノクロ専用でない場合は(ステップＳ２４２；Ｎ)、そのままの表示状態で宛先の選択操作を、スタートキーが操作されるまで継続して受け付ける（ステップＳ２４４；Ｎ）。
【０１０７】
スタートキーが操作されると（ステップＳ２４４；Ｙ）、選択済みの同報宛先に対してファクシミリ送信（同報送信）を実行して(ステップＳ２４５)、一連の送信処理を終了する（エンド）。
【０１０８】
図１０（ａ）は、モノクロ専用の宛先を選択する前の宛先選択画面５０ｆを、図１０（ｂ）はモノクロ専用の宛先（同図（ａ）の宛先選択釦５７ｃ）を選択した後の宛先選択画面５０ｇを示している。図１０（ｂ）ではカラー釦５６はグレーアウト（図中は破線表示）され、操作不可になっている。
【０１０９】
なお、宛先を選択した時点でメッセージ表示欄５１に、該宛先を選択すると、以後、カラーモードへの変更ができなくなる旨の警告が表示されてもよい。また該警告を表示した際に、今回の宛先選択を有効にするか取り消すか否かをユーザに問い合わせ、有効が選択された場合にカラー釦５６をグレーアウトさせて操作不可にしてもよい。
【０１１０】
なお、グループ宛先の登録においても、同報宛先の選択の場合と同様に、送信モードと宛先の選択状況に応じて表示内容が変更される。
【０１１１】
図１１はグループ宛先の登録処理の流れを、図１２はグループ宛先登録画面７０の一例を示している。登録番号欄７１には、登録中のグループ番号が表示される。登録名欄７２には、該グループ番号に対応付けて登録されるグループ名が表示される。カラー機釦７３は当該グループをカラー機のグループとして登録するための操作釦であり、モノクロ機釦７４は当該グループをモノクロ機のグループとして登録するための操作釦である。カラー機釦７３とモノクロ機釦７４とは択一的に選択され、選択された釦と非選択の釦とは、文字色や背景色を変えたりすることで識別可能に表示される。宛先釦７５は、グループ登録する宛先の候補を表示するための操作釦である。
【０１１２】
グループ宛先登録画面７０においてカラー機釦７３が選択された状態で(ステップＳ１２１；Ｙ)宛先釦７５が操作されると(ステップＳ１２２；Ｙ)、カラー機として登録されている宛先（短縮宛先）のみがユーザ選択可能な宛先として表示される(ステップＳ１２３)。ユーザは表示されたカラー対応可能な宛先の中から当該グループのメンバとして登録する宛先を選択する(ステップＳ１２４)。
【０１１３】
グループ宛先登録画面７０においてモノクロ機釦７４が選択された状態で(ステップＳ１２１；Ｎ)宛先釦７５が操作されると(ステップＳ１２５；Ｙ)、カラー機・モノクロ機に係わらず、すべての宛先（短縮宛先）がユーザ選択可能な宛先として表示される(ステップＳ１２６)。ユーザは表示された全宛先の中から当該グループのメンバとして登録する宛先を選択する(ステップＳ１２７)。
【０１１４】
上記の例では、カラー機釦７３やモノクロ機釦７４による送信モードの選択状態に応じて、ユーザ選択可能な宛先を変更するようにしたが、ユーザが選択した宛先に応じて、当該グループの属性（カラーグループか否か）に関する受信能力情報（本実施の形態においては、カラー機、もしくはモノクロ機を示す情報）の登録を制限してもよい。たとえば、グループのメンバとしてカラー機の宛先とモノクロ機の宛先とが、混在して選択されている場合は、カラー機釦７３をグレーアウトしたり非表示にしたりすることで、カラーグループの選択を禁止したり、カラー機釦７３が押下されたときに、カラーモードを設定できない旨を警告したり、設定できない原因となった宛先や原因の内容をユーザに通知したりしてもよい。
【０１１５】
さらに、図９、図１０に示した動きと同様に、グループ登録においても、グループに加える宛先が選択される毎に、その選択内容に応じてカラー機釦７３の操作可否（表示／非表示）をリアルタイムに切り替えるようにしてもよい。
【０１１６】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１１７】
たとえば、実施の形態では、送信モードとしてカラーモード・モノクロモードを例に説明したが、これに限定されるものではない。たとえば、Ａ３など大きなサイズでの原稿を原寸送信可能な場合に、Ａ３原寸送信する／しないを送信モードとし、宛先がＡ３原寸での受信能力を有するか否かに応じて、ユーザ選択可能な宛先やユーザ選択可能な送信モードを変更してもよい。
【０１１８】
実施の形態では、短縮宛先登録において各宛先がカラー機かモノクロ機かをユーザ自身で登録し、短縮宛先の登録内容に基づいて各宛先がカラー機かモノクロ機かを判断するようにしたが、このような相手機の受信能力に関する情報の取得は他の方法で行なってもかまわない。たとえば、通信時に相手機がカラー機かモノクロ機かなどの受信能力に関する情報を取得して自動登録するようにしてもよい。
【０１１９】
また、実施の形態では、送信モードがモノクロモードの場合に、カラー機とモノクロ機（モノクロ専用機）のいずれも選択可能にしたが、モノクロ機のみを選択可能にしてもよい。このほか、カラーモードが選択されているときは、ＳＩＰ−ＦＡＸなどのネットワークＦＡＸに対応可能な宛先のみをユーザ選択可能な宛先にしてもよい。さらに、選択済みの宛先の中にネットワークＦＡＸに対応していない宛先が含まれている場合は、送信モードをカラーモードに設定できなくするように制御してもよい。
【０１２０】
なお、プログラム宛先の登録画面においても、ユーザ選択可能な送信モードや宛先に関する制御はグループ宛先や同報宛先の場合と同様になっている。
【０１２１】
実施の形態では、宛先が選択された状態で送信モードを設定する際に、選択済みの宛先の中のいずれか１つでも設定しようとする送信モードに対応していない場合は、該送信モードを選択できないようにしたが、設定しようとする送信モードに対応していない宛先を選択済みの宛先から自動削除して送信モードの選択を許容するように構成してもよい。この場合、送信モードの選択に伴って削除される宛先が存在することや削除される宛先を通知し、ユーザの承認を得て該当の宛先を削除するように構成するとよい。
【図面の簡単な説明】
【０１２２】
【図１】本発明の実施の形態に係わる複合機の構成を示すブロック図である。
【図２】本発明の実施の形態に係わる複合機の表示部に表示される短縮宛先登録画面の一例を示す正面図である。
【図３】本発明の実施の形態に係わる複合機における短縮宛先の登録処理を示す流れ図である。
【図４】宛先選択画面およびカラー／モノクロモードの選択に応じて宛先選択画面に表示される宛先候補が変化する様子を示す説明図である。
【図５】同報宛先選択前における宛先候補の表示制御処理を示す流れ図である。
【図６】同報宛先選択後における宛先候補の表示制御処理を示す流れ図である。
【図７】同報宛先選択後の宛先選択画面および送信モードの変更操作に伴って警告が表示される様子を示す説明図である。
【図８】警告表示の原因となった宛先や原因の詳細が通知された宛先選択画面の一例を示す正面図である。
【図９】宛先の選択に伴って送信モードの変更可否を逐次変更する表示制御処理を示す流れ図である。
【図１０】モノクロ専用の宛先を選択する前後の宛先選択画面を対比して示す説明図である。
【図１１】グループ宛先の登録処理を示す流れ図である。
【図１２】グループ宛先登録画面の一例を示す正面図である。
【符号の説明】
【０１２３】
１０…複合機（画像送信装置）
１１…ＣＰＵ
１１ａ…宛先管理手段
１１ｂ…モード選択手段
１１ｃ…宛先選択手段
１２…ＲＯＭ
１３…ＲＡＭ
１４…不揮発メモリ
１５…読取部
１６…記録部
１７…ネットワーク通信部
１８…表示部
１９…操作部
２１…画像処理部
２２…通信制御部
２３…モデム
２４…ＮＣＵ
２５…バス
４０…短縮宛先登録画面
４１…登録番号欄
４２…登録名欄
４３…宛先欄
４４…カラー機釦
４５…モノクロ機釦
４６…ＳＩＰファックス送信のＯＮ釦
４７…ＳＩＰファックス送信のＯＦＦ釦
４８…ＯＫ釦
５０…宛先選択画面
５１…メッセージ表示欄
５１ａ…警告メッセージ
５２…タグ
５２ａ…プログラムタグ
５２ｂ…グループタグ
５２ｃ…短縮／アドレスタグ
５２ｄ…ダイレクト入力タグ
５３…入力番号表示欄
５４…宛先候補表示欄
５４ａ…インデックスキー
５５…同報宛先リスト表示欄
５６…カラー釦
５７…宛先選択釦
７０…グループ宛先登録画面
７１…登録番号欄
７２…登録名欄
７３…カラー機釦
７４…モノクロ機釦
７５…宛先釦
【図１】
2007208449.tif 000003
【図２】
2007208449.tif 000004
【図３】
2007208449.tif 000005
【図４】
2007208449.tif 000006
【図５】
2007208449.tif 000007
【図６】
2007208449.tif 000008
【図７】
2007208449.tif 000009
【図８】
2007208449.tif 000010
【図９】
2007208449.tif 000011
【図１０】
2007208449.tif 000012
【図１１】
2007208449.tif 000013
【図１２】
2007208449.tif 000014